(57)【要約】【課題】人の身体の一部を有効に温めて当該身体の一部の血行を良くすることができ、構成が簡単であって操作性が良く、かつ、携帯に適している温熱具を提供すること。【解決手段】本発明の温熱具１００は、遠赤外線放射膜１１０、発熱体１２０及び保持部材１３０を具備する。遠赤外線放射膜１１０は、所定範囲の温度で所定範囲の波長の遠赤外線を放射する。発熱体１２０は、遠赤外線放射膜１１０の第１の面側に配置され、かつ、酸素と化合し発熱して所定時間だけ所定範囲の温度になる複数の発熱粉体１２１と当該複数の発熱粉体１２１に酸素を供給可能な状態で当該複数の発熱粉体１２１を収容している袋１２２とを有する。保持部材１３０は、遠赤外線放射膜１１０の第１の面側に発熱体１２０を着脱可能に保持する。【選択図】図２
2008272413.tif 000002
【特許請求の範囲】
【請求項１】
所定範囲の温度で所定範囲の波長の遠赤外線を放射する遠赤外線放射膜と、
前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の前記一つの面側に前記発熱体を着脱可能に保持する保持部材と、
を具備することを特徴とする温熱具。
【請求項２】
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
を具備することを特徴とする温熱具。
【請求項３】
前記遠赤外線放射膜の外表面側に当該遠赤外線放射膜の外表面を被覆するように着脱可能に取り付けられ前記遠赤外線を透過させる着脱断熱シートを具備することを特徴とする請求項１及び請求項２のいずれか１つに記載の温熱具。
【請求項４】
所定範囲の温度で所定範囲の波長の遠赤外線を放射する遠赤外線放射膜と、
前記遠赤外線放射膜の第１の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の第１の面側に前記発熱体を着脱可能に保持する保持部材と、
前記遠赤外線放射膜の第２の面側に当該遠赤外線放射膜の第２の面を被覆するように配設され前記遠赤外線を透過させる断熱シートと、
を具備することを特徴とする温熱具。
【請求項５】
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
前記遠赤外線放射膜の外表面側に当該遠赤外線放射膜の外表面を被覆するように配設され前記遠赤外線を透過させる断熱シートと、
を具備することを特徴とする温熱具。
【請求項６】
前記断熱シートの外表面側に当該断熱シートの外表面を被覆するように着脱可能に取り付けられ前記遠赤外線を透過させる着脱断熱シートを具備することを特徴とする請求項４及び請求項５のいずれか１つに記載の温熱具。
【請求項７】
両眼を含む顔の一部を被覆して熱及び遠赤外線で温熱する温熱具であって、
所定範囲の温度で所定範囲の波長の遠赤外線を放射する遠赤外線放射膜と、
前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の前記一つの面側に前記発熱体を着脱可能に保持する保持部材と、
前記遠赤外線放射膜の外表面側における両眼に対向する部分に配設され前記遠赤外線を通さない２つの遠赤外線不通シートと、
を具備することを特徴とする温熱具。
【請求項８】
両眼を含む顔の一部を被覆して熱及び遠赤外線で温熱する温熱具であって、
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
前記遠赤外線放射膜の外表面側における両眼に対向する部分に配設され前記遠赤外線を通さない２つの遠赤外線不通シートと、
を具備することを特徴とする温熱具。
【請求項９】
前記遠赤外線放射膜及び前記遠赤外線不通シートの外表面側に当該遠赤外線放射膜及び当該前記遠赤外線不通シートの外表面を被覆するように着脱可能に取り付けられ前記遠赤外線を透過させる着脱断熱シートを具備することを特徴とする請求項７及び請求項８のいずれか１つに記載の温熱具。
【請求項１０】
両眼を含む顔の一部を被覆して熱及び遠赤外線で温熱する温熱具であって、
所定範囲の温度で所定範囲の波長の遠赤外線を放射する遠赤外線放射膜と、
前記遠赤外線放射膜の第１の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の第１の面側に前記発熱体を着脱可能に保持する保持部材と、
前記遠赤外線放射膜の第２の面側に当該遠赤外線放射膜の第２の面を被覆するように配設され前記遠赤外線を透過させる断熱シートと、
前記遠赤外線放射膜の第２の面側及び前記断熱シートの外表面のいずれか１つにおける両眼に対向する部分に配設され前記遠赤外線を通さない２つの遠赤外線不通シートと、
を具備することを特徴とする温熱具。
【請求項１１】
両眼を含む顔の一部を被覆して熱及び遠赤外線で温熱する温熱具であって、
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
前記遠赤外線放射膜の外表面側に当該遠赤外線放射膜の外表面を被覆するように配設され前記遠赤外線を透過させる断熱シートと、
前記遠赤外線放射膜の外表面側及び前記断熱シートの外表面側のいずれか１つにおける両眼に対向する部分に配設され前記遠赤外線を通さない２つの遠赤外線不通シートと、
を具備することを特徴とする温熱具。
【請求項１２】
前記断熱シート及び前記遠赤外線不通シートの外表面側に当該断熱シート及び当該遠赤外線不通シートの外表面を被覆するように着脱可能に取り付けられ前記遠赤外線を透過させる着脱断熱シートを具備することを特徴とする請求項１０及び請求項１１のいずれか１つに記載の温熱具。
【請求項１３】
両眼を含む顔の一部を被覆して熱及び遠赤外線で温熱する温熱具であって、
所定範囲の温度で所定範囲の波長の遠赤外線を放射する遠赤外線放射膜と、
前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の前記一つの面側に前記発熱体を着脱可能に保持する保持部材と、
前記遠赤外線放射膜における両眼を被覆する部分が削除されることにより形成され貫通孔を規定する内周面と、
を具備することを特徴とする温熱具。
【請求項１４】
両眼を含む顔の一部を被覆して熱及び遠赤外線で温熱する温熱具であって、
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になろ複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
前記遠赤外線放射膜における両眼を被覆する部分が削除されることにより形成され貫通孔を規定する内周面と、
を具備することを特徴とする温熱具。
【請求項１５】
前記遠赤外線放射膜の外表面側に当該遠赤外線放射膜の外表面を被覆するように着脱可能に取り付けられ前記遠赤外線を透過させる着脱断熱シートを具備することを特徴とする請求項１３及び請求項１４のいずれか１つに記載の温熱具。
【請求項１６】
両眼を含む顔の一部を被覆して熱及び遠赤外線で温熱する温熱具であって、
所定範囲の温度で所定範囲の波長の遠赤外線を放射する遠赤外線放射膜と、
前記遠赤外線放射膜の第１の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記遠赤外線放射膜の第１の面側に前記発熱体を着脱可能に保持する保持部材と、
前記遠赤外線放射膜の第２の面側に当該遠赤外線放射膜の第２の面を被覆するように配設され前記遠赤外線を透過させる断熱シートと、
前記遠赤外線放射膜における両眼を被覆する部分が削除されることにより形成され貫通孔を規定する内周面と、
を具備することを特徴とする温熱具。
【請求項１７】
両眼を含む顔の一部を被覆して熱及び遠赤外線で温熱する温熱具であって、
支持体と、
前記支持体の第１の面側に配設され所定範囲の温度で所定範囲の波長の遠赤外線を放射する遠赤外線放射膜と、
前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、
前記支持体の第２の面側に前記発熱体を着脱可能に保持する保持部材と、
前記遠赤外線放射膜の外表面側に当該遠赤外線放射膜の外表面を被覆するように配設され前記遠赤外線を透過させる断熱シートと、
前記遠赤外線放射膜における両眼を被覆する部分が削除されることにより形成され貫通孔を規定する内周面と、
を具備することを特徴とする温熱具。
【請求項１８】
前記断熱シートの外表面側に当該断熱シートの外表面を被覆するように着脱可能に取り付けられ前記遠赤外線を透過させる着脱断熱シートを具備することを特徴とする請求項１６及び請求項１７のいずれか１つに記載の温熱具。
【請求項１９】
前記遠赤外線放射膜及び前記支持体のいずれか１つの両端部に取り付けられている２つの係止部材を具備することを特徴とする請求項１から請求項１８までのいずれか１つに記載の温熱具。
【発明の詳細な説明】
【技術分野】
【０００１】  本発明は、人の身体の一部を熱及び遠赤外線で暖める温熱具に関するものである。
【背景技術】
【０００２】  従来の温熱具として、非特許文献１に記載されたものがある。この従来の温熱具は、遠赤外線放射体、発熱部及び制御部を具備し、前記制御部が交流電源からの交流電力を受けて前記発熱部に電力を供給し前記発熱部を発熱させて前記遠赤外線放射体を加熱することにより遠赤外線を放射して人の身体に照射するものである。【０００３】
【非特許文献１】ｈｔｔｐ：／／ｗｗｗ．ｍｉｔｓｕｉ−ｏｎｎｅｔｓｕ．ｃｏ．ｊｐ／ｔｉｒｙｏｕｋｉ．ｈｔｍｌ
【発明の開示】
【発明が解決しようとする課題】
【０００４】  しかしながら、従来の温熱具においては、当該温熱具が前記遠赤外線放射体、前記発熱部及び前記制御部を具備するため、構成が複雑であるという問題がある。【０００５】  また、従来の温熱具においては、熱効率が良くない前記発熱部で前記遠赤外線放射体を加熱しているため、前記発熱部が大きい電力を必要とするから、交流電源である商用電源の電力を必要とするので、商用電源に前記制御部を接続するための電源コードが必要となるため操作性が悪いという問題がある。【０００６】  また、従来の温熱具においては、商用電源に前記制御部を接続するための電源コードが必要となり、かつ、前記発熱部と別に前記制御部を具備するから、携帯に適していないという問題がある。【０００７】  本発明の目的は、人の身体の一部を有効に温めて当該身体の一部の血行を良くすることができ、構成が簡単であって操作性が良く、かつ、携帯に適している温熱具を提供することにある。
【課題を解決するための手段】
【０００８】  本発明は、所定範囲の温度で所定範囲の波長の遠赤外線を放射する遠赤外線放射膜と、前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記遠赤外線放射膜の前記一つの面側に前記発熱体を着脱可能に保持する保持部材と、を具備する構成を採る。
【発明の効果】
【０００９】  本発明によれば、人の身体の一部を有効に温めて当該身体の一部の血行を良くすることができ、構成が簡単であって操作性が良く、かつ、携帯に適している温熱具を提供することができる。
【発明を実施するための最良の形態】
【００１０】  次に、本発明の実施の形態について、図面側を参照して詳細に説明する。【００１１】  （実施の形態１）
図１は、本発明の実施の形態１に係る温熱具を示す斜視図である。図２は、図１に示す本発明の実施の形態１に係る温熱具をＸ−Ｘ線に沿って切断して示す拡大断面図である。【００１２】  図１及び図２に示すように、本発明の実施の形態１に係る温熱具１００は、遠赤外線放射膜１１０、発熱体１２０、保持部材１３０及び２つの係止部材１４０、１４１を具備している。【００１３】  遠赤外線放射膜１１０は、所定範囲の温度で所定範囲の波長の遠赤外線を放射するものである。遠赤外線放射膜１１０は、例えば、アルミナ系及びジルコニウム系のファインセラミックスのいずれか１つで形成されている。ここで、前記遠赤外線とは、４μｍから１，０００μｍまでの波長範囲の電磁波である。なお、遠赤外線放射膜１１０は、８μｍから１４μｍまでの波長範囲の波長の分光放射輝度が大きい遠赤外線（電磁波）を放射するものが望ましい。これは、身体が８μｍから１４μｍまでの波長範囲の波長の遠赤外線（電磁波）を受けると、身体を構成する分子の運動が特に活発化されるからである。【００１４】  発熱体１２０は、遠赤外線放射膜１１０の第１の面側に配置されている。発熱体１２０は、複数の発熱粉体１２１及び袋１２２を有している。複数の発熱粉体１２１は、酸素と化合し発熱して所定時間だけ所定範囲の温度になるものである。袋１２２は、複数の発熱粉体１２１に酸素を供給可能な状態で当該複数の発熱粉体１２１を収容している。【００１５】  発熱粉体１２１は、例えば、鉄粉、水、活性炭、木粉、バーキュライト及び食塩を有している。発熱体１２０は、例えば、「ホッカイロ」（登録商標）、「ホカロン」（登録商標）又は「快温くん」（登録商標）で構成される。【００１６】  発熱体１２０は、複数の発熱粉体１２１と、複数の発熱粉体１２１を収容し、かつ、多数の通気孔を規定する多数の内周面側を有する内袋（袋１２２）とで構成されてもよい。この場合に、発熱体１２０は、前記内袋を密封状態で外袋に収容された状態で保管され、かつ、この外袋が開封されることにより前記内袋に収容された複数の発熱粉体１２１に酸素が供給されて発熱する。また、発熱体１２０は、袋１２２に収容されている複数の発熱粉体１２１が手でもまれて所定以上の摩擦力を受けた時に発熱状態になるものでもよい。【００１７】  保持部材１３０は、遠赤外線放射膜１１０の第１の面側に発熱体１２０を着脱可能に保持するものである。保持部材１３０は、カバー片１３１、第１の係止片１３２、カバーシート１３３及び第２の係止片１３４を具備している。カバー片１３１及びカバーシート１３３は、例えば、布及び合成樹脂シートのいずれか１つで形成されている。第１の係止片１３２及び第２の係止片１３４は、マジックテープ（登録商標）等で形成されている。【００１８】  カバー片１３１の一端部は、遠赤外線放射膜１１０の第１の面側の一端部に接着材により固着されている。第１の係止片１３２は、カバー片１３１の上面側に配設され固定されている。カバーシート１３３の一端部は、遠赤外線放射膜１１０の第１の面側の他端部に接着材により固着されている。カバーシート１３３は、遠赤外線放射膜１１０の第１の面を被覆する大きさに形成されている。なお、カバー片１３１及���カバーシート１３３の一端部は、遠赤外線放射膜１１０に固定具により固定されてもよい。【００１９】  第２の係止片１３４は、カバーシート１３３の先端部の下面側に配設され固定されている。第２の係止片１３４は、第１の係止片１３２に着脱可能に係止される。第２の係止片１３４が第１の係止片１３２に係止された状態においては、遠赤外線放射膜１１０の第１の面、カバー片１３１の内面及びカバーシート１３３の内面は、発熱体１２０を収容して保持する保持空間１３５を規定する内周面を構成している。第２の係止片１３４が第１の係止片１３２に着脱可能に係止されることにより、保持部材１３０は、発熱体１２０を着脱可能に保持することができる。【００２０】  係止部材１４０、１４１は、遠赤外線放射膜１１０の両端部に取り付けられている。係止部材１４０、１４１は、遠赤外線放射膜１１０、発熱体１２０及び保持部材１３０を身体の一部に着脱可能に係止するものである。【００２１】  係止部材１４０は、係止帯１４０１と、この係止帯１４０１の先端部の内面に配設され固定されている第３の係止片１４０２とを有している。同じように、係止部材１４１も、係止帯１４１１と、この係止帯１４１１の先端部の外面に配設され固定されている第４の係止片１４１２とを有している。係止帯１４０１の一端部は、遠赤外線放射膜１１０の一端部に接着材により固着されている。また、係止帯１４１１の一端部も、遠赤外線放射膜１１０の他端部に接着材により固着されている。なお、係止帯１４０１、１４１１の一端部は、遠赤外線放射膜１１０に固定具により固定されてもよい。第４の係止片１４１２は、長い帯状に形成されている。第３の係止片１４０２及び第４の係止片１４１２は、マジックテープ（登録商標）等で形成されている。【００２２】  遠赤外線放射膜１１０の第２の面を布等を介して身体の一部、例えば、膝の一部に当接した状態で、係止帯１４０１、１４１１で身体の一部を包囲して第３の係止片１４０２と第４の係止片１４１２とが着脱可能に係止されることにより、遠赤外線放射膜１１０、発熱体１２０及び保持部材１３０は身体の一部に着脱可能に係止される。【００２３】  （実施の形態２）
次に、本発明の実施の形態２について、図面を参照して詳細に説明する。図３は、本発明の実施の形態２に係る温熱具の要部を切断して示す拡大断面図である。本発明の実施の形態２においては、本発明の実施の形態１と同じ構成要素には同じ参照符号を付してその説明を省略する。【００２４】  本発明の実施の形態２に係る温熱具２００は、本発明の実施の形態１に係る温熱具１００において、支持体２０１を追加してなるものである。すなわち、本発明の実施の形態２に係る温熱具２００は、支持体２０１、遠赤外線放射膜１１０、発熱体１２０、保持部材１３０及び２つの係止部材１４０、１４１を具備している。【００２５】  支持体２０１は、熱伝導性が良い材料、例えば、アルミニウム板で形成されている。なお、支持体２０１は、例えば、紙及び布の１つで形成されてもよい。遠赤外線放射膜１１０は、支持体２０１の第１の面側に配設されている。遠赤外線放射膜１１０は、支持体２０１の第１の面に遠赤外線放射の物質の粉体を固着されている。前記遠赤外線放射の物質としては、例えば、アルミナ系又はジルコニウム系のファインセラミックスがある。なお、遠赤外線放射膜１１０は、支持体２０１の第１の面に印刷され、蒸着され、又は、溶着されてもよい。【００２６】  支持体２０１は、遠赤外線放射膜１１０が薄くて強度が小さい場合に、補強するものである。また、支持体２０１は、熱伝導性が良い材料で形成される場合には、発熱体１２０の熱を遠赤外線放射膜１１０に均一に伝える。【００２７】  発熱体１２０は、支持体２０１の第２の面側に配置されている。保持部材１３０は、支持体２０１の第２の面側に発熱体１２０を着脱可能に保持している。保持部材１３０は、カバー片１３１、第１の係止片１３２、カバーシート１３３及び第２の係止片１３４を具備している。【００２８】  カバー片１３１の一端部は、支持体２０１の第２の面の一端部に接着材により固着されている。第１の係止片１３２は、カバー片１３１の上面に配設され固定されている。カバーシート１３３の一端部は、支持体２０１の第２の面の他端部に接着材により固着されている。カバーシート１３３は、支持体２０１の第２の面を被覆する大きさに形成されている。なお、カバー片１３１及びカバーシート１３３の一端部は、支持体２０１に固定具により固定されてもよい。また、カバー片１３１及びカバーシート１３３の一端部は、遠赤外線放射膜１１０に固着され、又は、固定されてもよい。【００２９】  （実施の形態３）
次に、本発明の実施の形態３について、図面を参照して詳細に説明する。図４は、本発明の実施の形態３に係る温熱具の要部を切断して示す拡大断面図である。本発明の実施の形態３においては、本発明の実施の形態１と同じ構成要素には同じ参照符号を付してその説明を省略する。【００３０】  本発明の実施の形態３に係る温熱具３００は、本発明の実施の形態１に係る温熱具１００において、断熱シート３０１を追加してなるものである。すなわち、本発明の実施の形態３に係る温熱具３００は、断熱シート３０１、遠赤外線放射膜１１０、発熱体１２０、保持部材１３０及び２つの係止部材１４０、１４１を具備している。【００３１】  断熱シート３０１は、遠赤外線放射膜１１０の第２の面側（外表面側）に当該遠赤外線放射膜１１０の第２の面を被覆するように配設されている。断熱シート３０１は、その周辺部が遠赤外線放射膜１１０に接着材により接着されている。断熱シート３０１は、熱を伝え難く、かつ、遠赤外線を透過させるものである。断熱シート３０１は、例えば、多数の貫通孔を規定する多数の内周面を有する断熱性の布及び合成樹脂シートのいずれか１つにより形成されている。なお、断熱シート３０１は、遠赤外線放射膜１１０に固定具により固定されてもよい。また、断熱シート３０１は、１枚のシート又は複数枚のシートで形成されている。【００３２】  本発明の実施の形態３に係る温熱具３００によれば、断熱シート３０１を有するため、発熱体１２０の温度が高い時にも身体を温熱する側の当該断熱シート３０１の外表面の温度を所定温度以下とすることができるから、低温やけどを有効に防止することができる。【００３３】  （実施の形態４）
次に、本発明の実施の形態４について、図面を参照して詳細に説明する。図５は、本発明の実施の形態４に係る温熱具の要部を切断して示す拡大断面図である。本発明の実施の形態４においては、本発明の実施の形態２、３と同じ構成要素には同じ参照符号を付してその説明を省略する。【００３４】  本発明の実施の形態４に係る温熱具４００は、本発明の実施の形態３に係る温熱具３００において、支持体２０１を追加してなるものである。すなわち、本発明の実施の形態４に係る温熱具４００は、支持体２０１、断熱シート３０１、遠赤外線放射膜１１０、発熱体１２０、保持部材１３０及び２つの係止部材１４０、１４１を具備している。【００３５】  遠赤外線放射膜１１０は、支持体２０１の第１の面側に配設されている。遠赤外線放射膜１１０は、支持体２０１の第１の面に固着されている。なお、遠赤外線放射膜１１０は、支持体２０１の第１の面に印刷され、蒸着され、又は、溶着されてもよい。【００３６】  発熱体１２０は、支持体２０１の第２の面側に配置されている。保持部材１３０は、支持体２０１の第２の面側に発熱体１２０を着脱可能に保持している。【００３７】  本発明の実施の形態４に係る温熱具４００によれば、断熱シート３０１を有するため、発熱体１２０の温度が高い時にも身体の一部を温熱する側の当該断熱シート３０１の外表面の温度を所定温度以下とすることができるから、低温やけどを有効に防止することができる。【００３８】  （実施の形態５）
次に、本発明の実施の形態５について、図面を参照して詳細に説明する。図６は、本発明の実施の形態５に係る温熱具の一実施例を示す斜視図である。図７は、本発明の実施の形態５に係る温熱具の一実施例の着脱断熱シートを取り外した状態を示す斜視図である。本発明の実施の形態５においては、本発明の実施の形態１〜４と同じ構成要素には同じ参照符号を付してその説明を省略する。【００３９】  図６及び図７に示すように、本発明の実施の形態５に係る温熱具の一実施例は、本発明の実施の形態１に係る温熱具１００において２つの係止片５０１及び着脱断熱シート５０２を具備するものである。すなわち、本発明の実施の形態５に係る温熱具は、遠赤外線放射膜１１０、発熱体１２０、保持部材１３０、２つの係止部材１４０、１４１、２つの係止片５０１及び着脱断熱シート５０２を具備している。【００４０】  ２つの係止片５０１は、本発明の実施の形態１に係る温熱具１００の保持部材１３０の周辺部に配設され固定されている。係止片５０１は、マジックテープ（登録商標）等で形成されている。【００４１】  着脱断熱シート５０２は、本発明の実施の形態１に係る温熱具１００の遠赤外線放射膜１１０の外表面側にこの遠赤外線放射膜１１０の外表面を被覆するように着脱可能に取り付けられる。【００４２】  着脱断熱シート５０２は、断熱シート５０３、２つの突片５０４及び２つの係止片５０５を具備している。断熱シート５０３は、断熱シート３０１と同じ構成を有している。２つの突片５０４は、これらの基部が断熱シート５０３の周辺部に接着材により固着されている。２つの突片５０４は、布等で形成されている。２つの係止片５０５は、２つの突片５０４における温熱具１００と対向する面側に配設され固定されている。２つの係止片５０５は、マジックテープ（登録商標）等で形成されている。【００４３】  断熱シート５０３が温熱具１００の遠赤外線放射膜１１０の外表面側にこの遠赤外線放射膜１１０の外表面を被覆するように当接された状態で、２つの係止片５０５が２つの係止片５０１に押圧されて係止されると、断熱シート５０３が温熱具１００の遠赤外線放射膜１１０の外表面側に装着される。【００４４】  一方、断熱シート５０３が温熱具１００の遠赤外線放射膜１１０の外表面側に装着された状態で、２つの係止片５０５が２つの係止片５０１から離隔する方向の所定以上の力を受けると、２つの係止片５０５が２つの係止片５０１から離隔されて断熱シート５０３が温熱具１００の遠赤外線放射膜１１０の外表面側から脱却される。【００４５】  本発明の実施の形態５に係る温熱具の他の実施例は、本発明の実施の形態２〜４に係る温熱具２００、３００、４００のいずれか１つにおいて２つの係止片５０１及び着脱断熱シート５０２を具備するものである。【００４６】  本発明の実施の形態５においては、本発明の実施の形態１〜４に係る温熱具１００、２００、３００、４００のいずれか１つにおいて、さらに着脱断熱シート５０２を具備するため、発熱体１２０の温度が高い時にも身体の一部を温熱する側の当該着脱断熱シート５０２の外表面の温度を所定温度以下とすることができるから、低温やけどをより有効に防止することができる。【００４７��  本発明の実施の形態３、４、５に係る温熱具は、低温やけどを有効に防止することができるため、顔を温熱するのに適している。【００４８】  また、本発明の実施の形態２、４において、２つの係止部材１４０、１４１の係止帯１４０１、１４１１の各々は、その一端部が支持体２０１の端部に固定され、又は、固着されてもよい。【００４９】  なお、本発明の実施の形態１〜５のいずれか１つにおいて、前記温熱具は、２つの係止部材１４０、１４１の代わりに、遠赤外線放射膜１１０及び支持体２０１のいずれか１つの一部に固定され、又は、固着された把持部材を具備するように構成されてもよい。この場合には、使用者が前記把持部材を把持して温熱具を移動しながら身体の複数の部分を温熱することができる。【００５０】  （実施の形態６）
次に、本発明の実施の形態６について、図面を参照して詳細に説明する。図８は、本発明の実施の形態６に係る温熱具の一実施例を示す斜視図である。本発明の実施の形態６においては、本発明の実施の形態１〜５と同じ構成要素には同じ参照符号を付してその説明を省略する。【００５１】  図８に示すように、本発明の実施の形態６に係る温熱具の一実施例は、本発明の実施の形態１に係る温熱具１００において２つの遠赤外線不通シート６０１を具備するものである。すなわち、本発明の実施の形態６に係る温熱具の一実施例は、遠赤外線放射膜１１０、発熱体１２０、保持部材１３０、２つの係止部材１４０、１４１及び２つの遠赤外線不通シート６０１を具備している。本発明の実施の形態６に係る温熱具の一実施例は、両眼を含む顔の一部を被覆して熱及び遠赤外線で温熱するものである。【００５２】  ２つの遠赤外線不通シート６０１は、遠赤外線放射膜１１０の外表面側における両眼に対向する部分に配設され固着されている。２つの遠赤外線不通シート６０１は、前記遠赤外線を通さないものである。２つの遠赤外線不通シート６０１は、遠赤外線放射膜１１０の外表面に固定されてもよい。【００５３】  本発明の実施の形態６に係る温熱具の他の実施例は、本発明の実施の形態２〜５に係る温熱具２００、３００、４００のいずれか１つにおいて２つの遠赤外線不通シート６０１を具備するものである。本発明の実施の形態６に係る温熱具の他の実施例も、両眼を含む顔の一部を被覆して熱及び遠赤外線で温熱するものである。なお、２つの遠赤外線不通シート６０１は、断熱シート３０１の外表面に配設され固着され、又は、固定されてもよい。【００５４】  本発明の実施の形態６に係る温熱具においては、２つの遠赤外線不通シート６０１を具備するため、両眼に遠赤外線を照射することがないから、両眼に悪影響を与えない。【００５５】  （実施の形態７）
次に、本発明の実施の形態７について、図面を参照して詳細に説明する。図９は、本発明の実施の形態７に係る温熱具の一実施例を示す斜視図である。本発明の実施の形態７においては、本発明の実施の形態１〜５と同じ構成要素には同じ参照符号を付してその説明を省略する。【００５６】  図９に示すように、本発明の実施の形態７に係る温熱具の一実施例は、本発明の実施の形態１に係る温熱具１００において２つの貫通孔７０１を規定する２つの内周面７０２を具備するものである。本発明の実施の形態６に係る温熱具の一実施例は、両眼を含む顔の一部を被覆して熱及び遠赤外線で温熱するものである。【００５７】  ２つの内周面７０２は、本発明の実施の形態７に係る温熱具の一実施例の遠赤外線放射膜１１０における両眼を被覆する部分が削除されることにより形成され、かつ、貫通孔７０１を規定している。【００５８】  本発明の実施の形態７に係る温熱具の他の実施例は、本発明の実施の形態２〜５に係る温熱具２００、３００、４００のいずれか１つにおいて、２つの貫通孔７０１を規定する２つの内周面７０２を具備するものである。本発明の実施の形態６に係る温熱具の他の実施例も、両眼を含む顔の一部を被覆して熱及び遠赤外線で温熱するものである。２つの内周面７０２は、本発明の実施の形態７に係る温熱具の他の実施例の遠赤外線放射膜１１０における両眼を被覆する部分が削除されることにより形成され、かつ、貫通孔７０１を規定している。【００５９】  本発明の実施の形態７に係る温熱具においては、両眼と対向する位置に遠赤外線放射膜１１０がないため、両眼に遠赤外線を照射することがないから、両眼に悪影響を与えない。【００６０】  なお、本発明の実施の形態６、７に係る温熱具は、ほぼ顔の全体を被覆するように形成されてもよい。この場合には、本発明の実施の形態６、７に係る温熱具は、鼻の穴部に対向する遠赤外線放射膜１１０及び支持板２０１の部分に通気口を規定する通気内周面を有するように形成される。この通気内周面は、鼻の穴部に対向する遠赤外線放射膜１１０及び支持板２０１の部分を削除することにより形成される。【００６１】  また、本発明の実施の形態１〜７において、２つの係止部材１４０、１４１は、削除さてもよい。【００６２】  また、本発明の実施の形態１〜７に係る温熱具により顔を温熱する時に、顔と対向する温熱具の外表面の温度は、顔を熱及び遠赤外線で有効に暖め、かつ、低温やけどを有効に防止するために、３８℃から４３℃までの範囲の温度であることが望ましく、さらに３９℃から４１℃までの範囲の温度であることがより望ましい。【００６３】  また、本発明の実施の形態１〜７に係る温熱具を使用する場合に、例えば、温熱具と身体の一部との間に遠赤外線を透過させる薄い布及びティッシュペーパー等の紙のいずれか１つを配置することにより、身体の一部が受ける熱の温度を低下させて適切な温度の熱を受けるようにして低温やけどを有効に防止することが望ましい。この場合に、温熱具と身体の一部との間には、複数枚の布又は紙が配置されてもよい。【００６４】  本発明の第１の態様は、所定範囲の温度で所定範囲の波長の遠赤外線を放射する遠赤外線放射膜と、前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記遠赤外線放射膜の前記一つの面側に前記発熱体を着脱可能に保持する保持部材と、を具備する構成を採る。【００６５】  本発明の第１の態様によれば、発熱体からの熱伝導による熱と遠赤外線放射膜からの遠赤外線とによって身体の一部を温めるから当該身体の一部を有効に温めて当該身体の一部の血行を良くすることができる。また、本発明の第１の態様によれば、遠赤外線放射膜と発熱体と保持部材とで構成されているため構成が簡単であって、遠赤外線放射膜と発熱体と保持部材とが一体的であり、かつ、商用電源と接続する電源コードが不要であるため操作性が良く、かつ、携帯に適している。【００６６】  本発明の第２の態様は、支持体と、前記支持体の第１の面側に配設され所定範囲の温度で所定範囲の波長の遠赤外線を放射する遠赤外線放射膜と、前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記支持体の第２の面側に前記発熱体を着脱可能に保持する保持部材と、を具備する構成を採る。【００６７】  本発明の第２の態様によれば、発熱体からの熱伝導による熱と遠赤外線放射膜からの遠赤外線とによって身体の一部を温めるから当該身体の一部を有効に温めて当該身体の一部の血行を良くすることができる。また、本発明の第２の態様によれば、支持体と遠赤外線放射膜と発熱体と保持部材とで構成されているため構成が簡単であって、支持体と遠赤外線放射膜と発熱体と保持部材とが一体的であり、かつ、商用電源と接続する電源コードが不要であるため、操作性が良く、かつ、携帯に適している。【００６８】  本発明の第３の態様は、本発明の第１及び第２の態様のいずれか１つにおいて、前記遠赤外線放射膜の外表面側に当該遠赤外線放射膜の外表面を被覆するように着脱可能に取り付けられ前記遠赤外線を透過させる着脱断熱シートを具備する構成を採る。【００６９】  本発明の第３の態様によれば、本発明の第１及び第２の態様のいずれか１つと同じ効果を有し、本発明の第１及び第２のもののいずれか１つにおいてさらに着脱断熱シートを具備するため、発熱体の温度が高い時にも身体の一部を温熱する側の当該着脱断熱シートの外表面の温度を所定温度以下とすることができるから、低温やけどを有効に防止することができる。【００７０】  本発明の第４の態様は、所定範囲の温度で所定範囲の波長の遠赤外線を放射する遠赤外線放射膜と、前記遠赤外線放射膜の第１の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記遠赤外線放射膜の第１の面側に前記発熱体を着脱可能に保持する保持部材と、前記遠赤外線放射膜の第２の面側に当該遠赤外線放射膜の第２の面を被覆するように配設され前記遠赤外線を透過させる断熱シートと、を具備する構成を採る。【００７１】  本発明の第４の態様によれば、発熱体からの熱伝導による熱と遠赤外線放射膜からの遠赤外線とによって身体の一部を温めるから当該身体の一部を有効に温めて当該身体の一部の血行を良くすることができる。また、本発明の第４の態様によれば、遠赤外線放射膜と発熱体と保持部材と断熱シートとで構成されているため構成が簡単であって、遠赤外線放射膜と発熱体と保持部材と断熱シートとが一体的であり、かつ、商用電源と接続する電源コードが不要であるため操作性が良く、かつ、携帯に適している。さらに、本発明の第４の態様によれば、断熱シートを有するため、発熱体の温度が高い時にも身体の一部を温熱する側の当該断熱シートの外表面の温度を所定温度以下とすることができるから、低温やけどを有効に防止することができる。【００７２】  本発明の第５の態様は、支持体と、前記支持体の第１の面側に配設され所定範囲の温度で所定範囲の波長の遠赤外線を放射する遠赤外線放射膜と、前記支持体の第２の面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記支持体の第２の面側に前記発熱体を着脱可能に保持する保持部材と、前記遠赤外線放射膜の外表面側に当該遠赤外線放射膜の外表面側を被覆するように配設され前記遠赤外線を透過させる断熱シートと、を具備する構成を採る。【００７３】  本発明の第５の態様によれば、発熱体からの熱伝導による熱と遠赤外線放射膜からの遠赤外線とによって身体の一部を温めるから当該身体の一部を有効に温めて当該身体の一部の血行を良くすることができる。また、本発明の第５の態様によれば、支持体と遠赤外線放射膜と発熱体と保持部材と断熱シートとで構成されているため構成が簡単であって、支持体と遠赤外線放射膜と発熱体と保持部材と断熱シートとが一体的であり、かつ、商用電源と接続する電源コードが不要であるため操作性が良く、かつ、携帯に適している。さらに、本発明の第５の態様によれば、断熱シートを有するため、発熱体の温度が高い時にも身体の一部を温熱する側の当該断熱シートの外表面の温度を所定温度以下とすることができるから、低温やけどを有効に防止することができる。【００７４】  本発明の第６の態様は、本発明の第４及び第５の態様のいずれか１つにおいて、前記断熱シートの面側外表面側に当該断熱シートの面側外表面側を被覆するように着脱可能に取り付けられ前記遠赤外線を透過させる着脱断熱シートを具備する構成を採る。【００７５】  本発明の第６の態様によれば、本発明の第４及び第５の態様のいずれか１つと同じ効果を有し、本発明の第４及び第５のもののいずれか１つにおいてさらに着脱断熱シートを具備するため、発熱体の温度が高い時にも身体の一部を温熱する側の当該着脱断熱シートの外表面の温度を所定温度以下とすることができるから、低温やけどをより有効に防止することができる。【００７６】  本発明の第７の態様は、両眼を含む顔の一部を被覆して熱及び遠赤外線で温熱する温熱具であって、所定範囲の温度で所定範囲の波長の遠赤外線を放射する遠赤外線放射膜と、前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記遠赤外線放射膜の前記一つの面側に前記発熱体を着脱可能に保持する保持部材と、前記遠赤外線放射膜の外表面側における両眼に対向する部分に配設され前記遠赤外線を通さない２つの遠赤外線不通シートと、を具備する構成を採る。【００７７】  本発明の第７の態様によれば、本発明の第１の態様の効果に加えて、赤外線放射膜の他の面側における両眼に対向する部分に配設され前記遠赤外線を通さない２つの遠赤外線不通シートとを具備するため、両眼に遠赤外線を照射することがないから、両眼に悪影響を与えない。【００７８】  本発明の第８の態様は、両眼を含む顔の一部を被覆して熱及び遠赤外線で温熱する温熱具であって、所定範囲の温度で所定範囲の波長の遠赤外線を放射する遠赤外線放射膜と、前記遠赤外線放射膜の一つの面側に配置され、かつ、酸素と化合し発熱して所定時間だけ所定範囲の温度になる複数の発熱粉体と当該複数の発熱粉体に酸素を供給可能な状態で当該複数の発熱粉体を収容している袋とを有する発熱体と、前記遠赤外線放射膜の前記一つの面側に前記発熱体を着脱可能に保持する保持部材と、前記遠赤外線放射膜における両眼を被覆する部分が削除されることにより形成され貫通孔を規定する内周面と、を具備する構成を採る。【００７９】  本発明の第８の態様によれば、本発明の第１の態様の効果に加えて、両眼に対向する位置に遠赤外線放射膜がないため、両眼に遠赤外線を照射することがないから、両眼に悪影響を与えない。
【産業上の利用可能性】
【００８０】  本発明は、人の身体の一部を有効に温めて当該身体の一部の血行を良くすることができ、構成が簡単であって操作性が良く、かつ、携帯に適している効果を有し、温熱具に有用である。
【図面の簡単な説明】
【００８１】
【図１】本発明の実施の形態１に係る温熱具を示す斜視図である。
【図２】図１に示す本発明の実施の形態１に係る温熱具をＸ−Ｘ線に沿って切断して示す拡大断面図である。
【図３】本発明の実施の形態２に係る温熱具の要部を切断して示す拡大断面図である。
【図４】本発明の実施の形態３に係る温熱具の要部を切断して示す拡大断面図である。
【図５】本発明の実施の形態４に係る温熱具の要部を切断して示す拡大断面図である。
【図６】本発明の実施の形態５に係る温熱具の一実施例を示す斜視図である。
【図７】本発明の実施の形態５に係る温熱具の一実施例の着脱断熱シートを取り外した状態を示す斜視図である。
【図８】本発明の実施の形態６に係る温熱具の一実施例を示す斜視図である。
【図９】本発明の実施の形態７に係る温熱具の一実施例を示す斜視図である。
【符号の説明】
【００８２】１００、２００、３００、４００  温熱具
１１０  遠赤外線放射膜
１２０  発熱体
１３０  保持部材
１４０、１４１  係止部材
２０１  支持体
３０１  断熱シート
５０２  着脱断熱シート
６０１  遠赤外線不通シート
７０２  内周面
【図１】
2008272413.tif 000003
【図２】
2008272413.tif 000004
【図３】
2008272413.tif 000005
【図４】
2008272413.tif 000006
【図５】
2008272413.tif 000007
【図６】
2008272413.tif 000008
【図７】
2008272413.tif 000009
【図８】
2008272413.tif 000010
【図９】
2008272413.tif 000011